(57)【要約】【課題】本発明は、強力な減衰振動磁界を印加する磁気振動水製造装置で水を減衰振動磁界処理することによって、水分子同士の相互作用が弱められた磁気振動水を製造し、新たな物性、及び／又は機能性を有する磁気振動水の製造方法を提供することを課題とする。【解決手段】本発明は、被処理水を磁気処理する磁気処理水槽を空芯の磁気コイルの内部に収容する段階と、磁気処理水槽に前記被処理水を供給する段階と、磁気コイルに接続したコンデンサを充電する段階と、コンデンサに充電された電力を前記磁気コイルに放電して前記磁気コイルに最高ピーク強度が１．０テスラ以上の減衰振動磁界を形成して前記被処理水に印加する段階と、によって磁気振動水を製造することを特徴とする。 【選択図】  図１
2020168617.tif 000002
【特許請求の範囲】
【請求項１】
被処理水を磁気処理する磁気処理水槽を空芯の磁気コイルの内部に収容する段階と、
前記磁気処理水槽に前記被処理水を供給する段階と、
前記磁気コイルに接続したコンデンサを充電する段階と、
前記コンデンサに充電された電力を前記磁気コイルに放電して前記磁気コイルに最高ピーク強度が１．０テスラ以上の減衰振動磁界を形成して前記被処理水に印加する段階と、
によって磁気振動水を製造することを特徴とする磁気振動水製造方法。
【請求項２】
前記被処理水が蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、点滴液、及び点眼液等を含む医療用水、電解水、水素水、及び酸素水を含む機能性水、塩水、並びに廃水の中から選ばれる１以上であることを特徴とする請求項１に記載の磁気振動水製造方法。
【請求項３】
前記磁気コイルと前記磁気処置水槽との間に冷却手段を更に備えることを特徴とする請求項１又は２に記載の磁気振動水製造方法。
【請求項４】
被処理水を磁気処理する磁気処理水槽と、
前記磁気処理水槽を内部に収容する空芯の磁気コイルと、前記磁気コイルに電力を供給するコンデンサと、前記コンデンサを充電する充電回路と、前記コンデンサに充電された電力を前記磁気コイルに放電する放電回路と、を含む磁界振動装置と、
を備え、
前記放電回路は、前記コンデンサの電力を前記磁気コイルに放電するとき、前記磁気コイルに最高ピーク強度が１．０テスラ以上の減衰振動磁界を形成することを特徴とする磁気振動水製造装置。
【請求項５】
磁気処理水槽を磁気コイル内に収容した状態で、前記磁気コイルに最高ピーク強度が１．０テスラ以上の減衰振動磁界を印加することにより、減衰振動磁界が印加された状態の被処理水であることを特徴とする磁気振動水。
【発明の詳細な説明】
【技術分野】
【０００１】
本発明は、磁気振動水、磁気振動水製造方法、及び磁気振動水製造製造装置に係り、より詳しくは、被処理水に減衰振動磁界を印加して磁気振動処理した磁気振動水、磁気振動水製造方法、及び磁気振動水製造装置に関する。
【背景技術】
【０００２】
液体の沸点は、液体物質の分子間に相互作用がない場合は分子量にほぼ相関する。しかし、水は、沸点（１気圧）が１００℃で分子量が１８であるのに対して、水と同程度の沸点（９８℃）を有するｎ−ヘプタンの分子量は１００である。この相違の原因は、水の分子が２個の水素原子と１個の酸素原子からなり、液体の水は、隣接する水分子の水素原子と酸素原子との間に弱い結合を形成して、液体の水の表面から水分子が水蒸気となった飛び出すのを阻害している（引き留めている）ためである。
【０００３】
この、水の酸素原子と水素原子との弱い結合は、周知の水素結合の一例であり、この水分子間の水素結合が、水の性質に大きな影響を与えている。その一例として、水は生体中に拡散しにくいという性質があるが、その理由として、液体の水が分子状の水に変化して生体膜を通過するのを水分子間の水素結合が引き止め、阻害していると考えられている。
【０００４】
さて、一般的に分子結合は２個の電子が対を成して形成されるが、例えば水素原子などの特定の原子を含む結合では、強力な磁場が印加されると分子結合を形成している２個の電子のエネルギーレベルが分極され、そのエネルギー差に相当するエネルギーを吸収して結合が活性化されるようになる。この現象を利用したものが核磁気共鳴吸収法（ＮＭＲ）という分析方法であり、またこの技術を人体の内部を観察し医療に応用したのがＭＲＩである。
分子結合の活性化は、分子結合の結合力の低下を意味するから、核磁気共鳴吸収が起これば、もともと弱い結合である水素結合は更に弱くなるのではないかと推測される。
【０００５】
しかし、核磁気共鳴吸収は非常に高い磁場で起こる現象であって、ＮＭＲ及びＭＲＩは、超電導体電磁石を用いて形成された磁場を用いて行われる。例えば磁場強度が１１．７４テスラ（９３６５ＫＡ／ｍ）において水素（１Ｈ）は５００ＭＨｚの電磁波を吸収して活性化され、炭素（１３Ｃ）は１２５ＭＨｚの電磁波を吸収し、窒素（１４Ｎ）は３５ＭＨｚの電磁波を吸収して活性化される（非特許文献１）。
従来は、このような強力な磁場を、製造目的で水に印加することは行われなかった。
【０００６】
近年、高い磁気特性を有する希土類磁石が開発され、必要不可欠な材料として広く使用され、今後も更に使用量が増大すると予想される。しかし、希土類磁石は、なんらかの理由で消磁が必要になった時には一度着磁された磁石を脱磁することは極めて難しいという課題を有している。
【０００７】
この、着磁された希土類磁石を脱磁するために、磁石を脱磁する磁気処理コイルと、磁気処理コイルに電力を供給するコンデンサと、コンデンサを充電する充電回路と、コンデンサに充電された電力を瞬時に磁気処理コイルに放電して高いピーク強度を有する減衰振動磁界を磁気処理コイルに形成させる放電回路と、を有する消磁装置が開発された。例えば、特許文献１には、最高ピーク強度が１０テスラ（７９６０ｋＡ／ｍ）であるような強力な磁界を生成する消磁装置が開示されている。
【０００８】
本発明は、核磁気共鳴分析で用いるのと同等の高いピーク強度を有する減衰振動磁界を水に印加し、水の分子間結合である水素結合を分極させ活性化させて水素結合を弱化し、それによって水を活性化して新たな機能性を有する新規な磁気振動水を提供するものである。
【先行技術文献】
【特許文献】
【０００９】
【特許文献１】特開第２０１５−３５５５８号公報
【特許文献２】特開第２０１１−２４９６１２号公報
【非特許文献】
【００１０】
【非特許文献１】核磁気共鳴装置  日本電子株式会社  インターネット検索  ｈｔｔｐｓ：／／ｗｗｗ．ｊｅｏｌ．ｃｏ．ｊｐ／ｓｃｉｅｎｃｅ／ｎｍｒ．ｈｔｍｌ  （２０１９年３月１８日検索）
【発明の概要】
【発明が解決しようとする課題】
【００１１】
本発明は、強力な減衰振動磁界を水に印加し、新たな物性、及び／又は機能性を有する磁気振動水の製造方法を提供することを課題とする。
また本発明は、強力な減衰振動磁界を形成し、水を減衰振動磁界処理する磁気振動水製造装置を提供することを課題とする。
【００１２】
また本発明は、磁気振動水製造装置の過熱を防いだ磁気振動水製造装置を提供することを課題とする。
更に本発明は、強力な減衰振動磁界を形成する磁気振動水製造装置を用いて減衰振動磁界が印加された状態の磁気振動水を提供することを課題とする。
【課題を解決するための手段】
【００１３】
本発明は、かかる課題を解決するためになされたものであって、被処理水を磁気処理する磁気処理水槽を空芯の磁気コイルの内部に収容する段階と、磁気処理水槽に被処理水を供給する段階と、磁気コイルに接続したコンデンサを充電する段階と、コンデンサに充電された電力を磁気コイルに放電して磁気コイルに最高ピーク強度が１．０テスラ以上の減衰振動磁界を形成して前記被処理水に印加する段階と、によって磁気振動水を製造することを特徴とする。
【００１４】
また、前記被処理水が、蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、点滴液、及び眼液等を含む医療用水、電解水、水素水、及び酸素水を含む機能性水、塩水、並びに廃水の中から選ばれる１以上であることを特徴とする。
前記磁気コイルと磁気処置水槽との間に冷却手段を更に備えることが好ましい。
【００１５】
被処理水を磁気処理する磁気処理水槽、並びに磁気処理水槽を内部に収容する空芯の磁気コイル、磁気コイルに電力を供給するコンデンサ、コンデンサを充電する充電回路、及びコンデンサに充電された電力を磁気コイルに放電する放電回路を含む磁界振動装置を備え、前記放電回路は、コンデンサの電力を磁気コイルに放電するとき、磁気コイルに最高ピーク強度が１．０テスラ以上の減衰振動磁界を形成することを特徴とする。
【００１６】
磁気処理水槽を磁気コイル内に収容した状態で、前記磁気コイルに最高ピーク強度が１．０テスラ以上の減衰振動磁界を印加することにより、減衰振動磁界が印加された状態の被処理水であることを特徴とする磁気振動水。
【発明の効果】
【００１７】
本発明の磁気振動水製造方法によれば、コンデンサに充電された電力を磁気コイルに放電して磁気コイルに最高ピーク強度が１．０テスラ以上の減衰振動磁界を形成して前記被処理水に印加することによって、浸透性が優れ、新規な機能を有する磁気振動水を製造することができる。
【００１８】
本発明の磁気振動水は、官能試験によって原料の水道水よりおいしいと評価された。また、本発明の磁気振動水は、浸透力が増大し、花を活けた場合に水道水を用いた場合より花が枯れずに長持ちし、種子の発芽率が向上することが示された。
【００１９】
また、本発明の他の実施例に係る磁気振動水製造方法は、磁気処置水槽との間に冷却手段を更に備え、減衰振動磁界を印加する間に磁気処置水槽の温度が上昇するのを防ぐことができる。
また本発明は、磁気コイルに最高ピーク強度が１．０テスラ以上の減衰振動磁界を前記被処理水に印加された状態の新規な磁気振動水を提供することができる。
【図面の簡単な説明】
【００２０】
【図１】本発明の一実施例に係る磁気振動水製造装置の構成を示す斜視図である。
【図２】本発明の一実施例に係る磁気処理水槽及び磁気コイルを示す断面図である。
【図３】本発明の磁界振動装置の回路図である。
【図４】本発明の磁気振動水の製造方法のプロセスブロック図である。
【図５】本発明の減衰振動磁界の磁界強度を示すグラフである。
【図６】本発明の他の実施例に係る磁気処理水槽及び磁気コイルを示す断面図である。
【図７】本発明の磁気振動水及び水道水に野菊を活けて野菊が枯れるまでを観察した図である。
【発明を実施するための形態】
【００２１】
以下に、添付図面を参照しながら、本発明の実施形態について説明する。
図１は、本発明の一実施例に係る磁気振動水製造装置の構成を示す斜視図であり、図２は、本発明の一実施例に係る磁気処理水槽及び磁気コイルを示す断面図である。
図１、２に示すように、本発明の一実施例に係る磁気振動水製造装置１は、磁気処理水槽１０と磁界振動装置２０とを備える。
【００２２】
磁気処理水槽１０は、磁力線が透過可能な材質で磁界振動装置２０の内部に形成され、被処理水導入弁１３及び被処理水１６を供給するポンプ１５を備える被処理水導入管１１と、被処理水排出弁１４を備える被処理水排出１２と、を備え得る。
【００２３】
磁界振動装置２０は、磁気処理水槽１０を内部に収容して磁界を印加する空芯の磁気コイル３０と、磁気コイル３０に電力を供給するコンデンサ４０と、コンデンサ４０を充電する充電回路５０と、コンデンサ４０に充電された電力を瞬時に磁気コイル３０に放電してＬＣＲ共振による減衰振動電流を発生させ、磁気コイル３０に減衰振動磁界を形成させる放電回路６０と、を備えることが好ましい。充電回路５０は商用電源５２に接続され得る。
【００２４】
本発明の、磁気コイル３０は、発生する減衰振動磁界の最高ピーク強度が１．０テスラ以上の磁界を磁気処理水槽１０印加して水を磁気処理することが好ましく、最高ピーク強度が５．０テスラ以上の磁界を印加することがより好ましい。減衰振動磁界の最高ピーク強度が１．０テスラ未満では、被処理水１６に十分な強度の減衰振動磁界を印加できないことがある。減衰振動磁界の最高ピーク強度は、使用可能な磁界振動装置２０の最高ピーク強度に制限されるので、上限は設けない。
【００２５】
図３は、本発明の磁界振動装置の回路図である。
図３に示すように、本発明の磁界振動装置２０は、充電回路５０と放電回路６０とからなることが好ましい。
【００２６】
充電回路５０は、商用電源５２に一次側コイル５４ａが接続される昇圧トランス５４と、商用電源５２の一方の端子に逆並列接続されたサイリスタ素子からなる交流位相制御回路５６と、昇圧トランス５４の二次側コイル５４ｂに接続されて昇圧された交流を全波整流する両波整流回路５８と、両波整流回路５８の直流出力端子間に接続された電圧検出回路５９と、を備えている。電圧検出回路５９の両端子間にコンデンサ４０が接続され、電圧検出回路５９はコンデンサ４０の充電電圧を検出する。
【００２７】
一方、放電回路６０は、コンデンサ４０と、コンデンサ４０の両電極間に接続された磁気コイル３０と、を含む。また、放電回路６０は、複数のサイリスタ素子であるスイッチング素子６２を含む。
【００２８】
図４は、本発明の磁気振動水の製造方法のプロセスブロック図である。
図４に示すように、本発明の磁気振動水の製造方法の第１段階は、磁気処理水槽１０に被処理水１６を収容する被処理水収容段階（Ｓ−１）を有する。
【００２９】
ここで、被処理水１６は、蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、点滴液、及び点眼液等を含む医療用水、電解水、水素水、及び酸素水を含む機能性水、食塩水、並びに廃水の中から選ばれる１以上であることができる。
【００３０】
また本実施形態は、商用電源５２から昇圧トランス５４、交流位相制御回路５６、及び両波整流回路５８を介して制御された電圧がコンデンサ４０を充電するコンデンサ充電段階（Ｓ−２）を有することができる。このとき、放電回路６０のスイッチング素子６２は全てオフとなっている。なお、被処理水収容段階とコンデンサ充電段階との順序は入れ替えることが可能である。
【００３１】
次いで、電圧検出回路５９が、コンデンサ４０の電圧が設定電圧に達して充電が完了したことを検出すると、交流位相制御回路５６で商用電源５２とコンデンサ４０とを電気的に切り離す充電放電回路切替段階（Ｓ−３）を行う。
【００３２】
次いで、放電回路を制御して減衰振動磁界印加段階（Ｓ−４）を行う。
コンデンサ４０に充電された電力を磁気コイル３０に瞬時に放電すると、コンデンサ４０と磁気コイル３０とにＬＣＲ共振による減衰振動電流が発生する。
図５は、本発明に係る減衰振動磁界の磁界強度を示すグラフである。
【００３３】
図５に示すような減衰振動磁界の波形や磁界強度ピーク値を所定の磁界振動装置２０で発生させて印加する方法は、磁気コイル３０及びコンデンサ４０の電磁的性質及び電圧、並びに放電回路のサイリスタスイッチの構成・操作方法等によって制御することができるが、これらは当業者の設計事項であり、また特許文献１、２にも記載されているので、詳細な説明は省略する。
【００３４】
本発明は、磁気処理水槽１０に収容された水に対する磁気処理を複数回行うことができる。
所定の回数の磁気振動処理が終了したら磁気処理水を取り出す磁気振動水排出段階（Ｓ−５）を有する。
【００３５】
本発明の磁界振動装置２０は、高電圧の減衰振動電流を磁気コイル３０に印加するので、電気抵抗に基づく熱を発生するが、処理時間が短いので処理回数が少ない場合は特に冷却装置を必要としない。しかし、処理回数が多くなるとの磁界振動装置２０が加熱され、磁気コイル３０及び／又は磁気処理水槽１０が高温になる場合がある。
【００３６】
図６は、本発明の他の実施形態に係る磁気処理水槽及び磁気コイルの断面図である。
図６に示すように、本発明の他の実施形態に係る磁界振動装置１２０は、磁気コイル１３０と磁気処理水槽１０との間に冷却手段１３１を備えることを特徴とする。冷却手段としては、磁気を透過させ発生熱を遮断できるものであれば特に制限されないが、磁気透過性の材料で形成された冷却水循環装置、又は例えば液体窒素の吹き付け装置等の冷却装置を挙げることができる。
【００３７】
以下に実施例を挙げて本発明を説明する。
［実施例１］
図１に示す形式の内径１１０ｍｍ、長さ２２０ｍｍの空芯の磁気コイル３０及びコンデンサ４０を用い、内径８０ｍｍ長さ１００ｍｍの磁気処理水槽１０に収容した５００ｍＬの水道水を磁気振動処理した。
商用電源５２から、昇圧トランス５４を用いてコンデンサ４０を電圧３５００Ｖまで充電し、充電回路５０とコンデンサ４０とを電気的に切断した後、コンデンサ４０に充電された電力を、放電回路６０を用いて磁気コイル３０に瞬時に放電して振動減衰電流を発生させ、磁気コイル３０に最高ピーク強度４．４６ＭＡ／ｍ（５．６テスラ）の振動減衰磁界を印加し、振動減衰磁界が消失後、磁気処理水槽１０から被処理水１６を排出して実施例１の磁気振動水５００ｍＬを得た。
【００３８】
［実施例２］
図１に示す形式の内径５０ｍｍ、長さ２００ｍｍの空芯の磁気コイル３０及びコンデンサ４０を用い、内径３２ｍｍ長さ１００ｍｍの磁気処理水槽１０に収容した８０ｍＬの水道水を磁気振動処理した。
商用電源５２から、昇圧トランス５４を用いてコンデンサ４０を充電し、充電回路５０とコンデンサ４０とを電気的に切断した後、コンデンサ４０に充電された電力を、放電回路６０を用いて磁気コイルに瞬時に放電して振動減衰電流を発生させ、磁気コイル３０に最高ピーク強度０．８０ＭＡ／ｍ（１．０テスラ）の振動減衰磁界を印加し、振動減衰磁界が消失後、磁気処理水槽１０から被処理水１６を排出して実施例２の磁気振動水８０ｍＬを得た。
【００３９】
［実施例３］
図６に示す形式の内径７０ｍｍ、長さ２００ｍｍの空芯の磁気コイル３０、コンデンサ４０、及びガラス製円筒形の冷却手段１３１を用い、内径３２ｍｍ長さ１００ｍｍの磁気処理水槽１０に収容した８０ｍＬの水道水（開始時の水温１８℃）を磁気振動処理した。
商用電源５２から、昇圧トランス５４を用いてコンデンサ４０を充電し、充電回路５０とコンデンサ４０とを電気的に切断した後、コンデンサ４０に充電された電力を、放電回路６０を用いて磁気コイル１３０に瞬時に放電して振動減衰電流を発生させ、振動減衰磁気コイル３０に最高ピーク強度０．８０ＭＡ／ｍ（１．０テスラ）の振動減衰磁界を印加し、振動減衰磁界が消失後、コンデンサ４０に再充電及び磁気コイルに再放電する操作を１０分間隔で合計１０回繰り返したのち、磁気処理水槽１０から被処理水１６を排出して実施例３の磁気振動水１００ｍＬを得た。処理終了直後の実施例３の磁気振動水の温度は２８℃であった。
実施例３で得た磁気振動水は、官能検査で、実施例１で得た磁気振動水と同程度の味を有することが示された。
【００４０】
［比較例１］
実施例２と同様に、図１に示す形式の内径５０ｍｍ、長さ２００ｍｍの空芯の磁気コイル３０及びコンデンサ４０を用い、内径３２ｍｍ長さ８０ｍｍの磁気処理水槽１０に収容した８０ｍＬの水道水を磁気振動処理し、但し、振動減衰磁気コイル３０に印加する振動減衰磁気の最高ピーク強度を０．４０ＭＡ／ｍ（０．５テスラ）にして比較例１の磁気振動水を得た。
【００４１】
［比較例２］
実施例２と同様に、図１に示す形式の内径５０ｍｍ、長さ２００ｍｍの空芯の磁気コイル３０及びコンデンサ４０を用い、内径３２ｍｍ長さ１００ｍｍの磁気処理水槽１０に収容した８０ｍＬの水道水を、最高ピーク強度０．８０ＭＡ／ｍ（１．０テスラ）の振動減衰磁界を用いて磁気振動処理し、次いで振動減衰磁界が消失後、コンデンサ４０に再充電及び磁気コイルに再放電する操作を１０分間隔で７回繰り返したところ、磁気処理水槽１０の被処理水１６の温度が８５℃になったので操作を中止し、磁気処理水槽１０から被処理水１６を排出して比較例２の磁気振動水８０ｍＬを得た。
比較例２の磁気振動水を１５℃まで冷却して官能検査を行ったが、比較例２の磁気振動水の味は、実施例２の磁気振動水の味よりも劣った。
【００４２】
（官能検査）
実施例１と実施例２、実施例２と比較例１、及び比較例１と水道水とを官能検査によって比較した。
＜試験方法＞
試験する水の温度を１５℃にして、２０人のパネラー（女性１２名、男性８名）に水の種類を知らせずに提示し、どちらの水がおいしいか又、又は同じあるかを飲み比べてもらった。
＜判定基準＞
同じである（分からない）と答えたパネラーの数が１０名以下であって、一方の磁気振動水を選択したパネラー数が他方の磁気振動水を選択したパネラー数の２倍以上である場合に一方の磁気振動水の方がおいしいと判定し、この条件を満たさない場合は両方の磁気振動水の官能評価には差がないと判定した。
【００４３】
＜結果＞
実施例１の磁気振動水と実施例２の磁気振動水の比較
９名のパネラーが実施例１の磁気振動水のほうがおいしいと答え、３名のパネラーが実施例２の磁気振動水のほうがおいしいと答え残りの８名がわからないと答えた。従って、実施例１の磁気振動水の方がおいしいと判定した。
実施例２の磁気振動水と比較例１の磁気振動水との比較
１２名のパネラーが実施例２の磁気振動水の方がおいしいと答え、２名のパネラーが比較例１の磁気振動水の方がおいしいと答えた。従って、実施例２の磁気振動水の方が水道水よりおいしいと判定した。
実施例２の磁気振動水と水道水との比較
５名のパネラーが実施例２の磁気振動水の方がおいしいと答え、３名のパネラーが水道水の方がおいしいと答えた。従って、実施例２の磁気振動水の味と水道水の味とに有意な差はないと判定した。
【００４４】
実施例１の磁気コイル３０に最高ピーク強度４．４６ＭＡ／ｍ（５．６テスラ）の振動減衰磁界を印加した磁気振動水と、実施例２の最高ピーク強度０．８０ＭＡ／ｍ（１．０テスラ）の振動減衰磁界を印加した磁気振動水は、官能検査では実施例１の磁気振動水の方が（大差はないが）おいしいと判定され、実施例２の磁気振動水と、比較例１の最高ピーク強度０．４０ＭＡ／ｍ（０．５テスラ）の振動減衰磁界を印加した磁気振動水では、実施例２の磁気振動水の方がおいしいと判定され、比較例１の磁気振動水の味と水道水の味とは官能試験で有意な差がないと判定された。従って、本発明は、磁気コイル３０に印加する振動減衰磁界の最高ピーク強度は、１．０テスラ（０．８０ＭＡ／ｍ）以上であると制限する。
【００４５】
（浸透性試験）
［実施例３］
図７は、本発明の磁気振動水及び水道水に野菊を活けて、野菊が枯れるまでを観察した図である。
図７ａに示すように、実施例１で得た磁気振動水２００ｍＬに３ｇの食塩を溶解して試験例とし、磁気振動水の製造に用いた水道水２００ｍＬに３ｇの食塩を溶解して、野菊の花を切り花として活け、実施例１の食塩水及び水道水の食塩水を毎日交換して観察した。
図７ｂに示すように、試験開始後１６日目に、比較例３の塩水に活けた野菊の花は枯れたが、試験例の実施例１の磁気振動水の塩水に活けた野菊の花は元気であった。
図７ｃに示すように、３６日目に試験例の振動水に活けた野菊の花が枯れた。
【００４６】
切花を活ける場合、切り花を長持ちさせるには、切り口からの水の吸い上げ重要であると言われている。実施例１の磁気振動水は、強力な振動減衰磁界を印加されて水分子同士の水素結合が弱められているので、水が切り花の切り口から容易に浸透して野菊の切花を長持ちさせたものと考えられる。
【００４７】
（発芽試験）
＜測定方法＞
［実施例４］
ガラス製シャーレの上にろ紙を２枚重ねて置き、実施例１で製造した磁気振動水を滴下して全面を湿らせ、その上に種子１００個を重なり合わないように並べて置き、シャーレの蓋をして所定の温度の低温器に入れる。試験中ろ紙が乾燥しないように磁気振動水を補給しながら毎日観察して、発芽した種子を取り除き、残った種子の数から発芽率を計算した。
発芽率（％）＝発芽した種子の個数／播種した種子の個数×１００
［比較例１］
実施例１と同じ方法で、但し実施例１で製造した磁気振動水の代わりに水道水を用いて発芽試験を行った。
【００４８】
（２）結果
発芽試験の結果を表１に示す。
【表１】
2020168617.tif 000003
【００４９】
表１に示すように、実施例１で製造した磁気振動水を用いることで、水道水を用いた場合よりも、いずれの種子も発芽率が向上した。
種子は、適当な温度で適当な水分が与えられると発芽するが、実施例１で製造した磁気振動水は強力な振動減衰磁界を印加されて水分子同士の水素結合が弱められているので、磁気振動水は種子に素早く浸透して発芽率を向上させたものと考えられる。
【００５０】
以上、本発明に関する好ましい実施形態を説明したが、本発明は前記実施形態に限定されず、本発明の属する技術範囲を逸脱しない範囲での全ての変更が含まれる。
【符号の説明】
【００５１】
１磁気振動水製造装置
５      磁気振動水
１０      磁気処理水槽
１１      被処理水導入管
１２      被処理水排出管
１３      被処理水導入弁
１４      被処理水排出弁
１５      ポンプ
１６      被処理水
２０、１２０      磁界振動装置
３０、１３０磁気コイル
４０      コンデンサ
５０      充電回路
５２      商用電源
５４      昇圧トランス
５４ａ    一次側コイル
５４ｂ    二次側コイル
５６      交流位相制御回路
５８      両波整流回路
５９      電圧検出回路
６０      放電回路
６２      スイッチング素子
１３１      冷却手段
【図１】
2020168617.tif 000004
【図２】
2020168617.tif 000005
【図３】
2020168617.tif 000006
【図４】
2020168617.tif 000007
【図５】
2020168617.tif 000008
【図６】
2020168617.tif 000009
【図７】
2020168617.tif 000010
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
被処理水を磁気処理する磁気処理水槽を空芯の磁気コイルの内部に収容する段階と、
前記磁気処理水槽に前記被処理水を供給する段階と、
前記磁気コイルに接続したコンデンサを充電する段階と、
前記コンデンサに充電された電力を前記磁気コイルに放電して前記磁気コイルに最高ピーク強度が１．０テスラ以上の減衰振動磁界を形成して前記被処理水に印加する段階と、
によって磁気振動水を製造することを特徴とする磁気振動水製造方法。
【請求項２】
前記被処理水が蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、及び点眼液等を含む医療用水、電解水、水素水、及び酸素水を含む機能性水、塩水、並びに廃水の中から選ばれる１以上であることを特徴とする請求項１に記載の磁気振動水製造方法。
【請求項３】
前記磁気コイルと前記磁気処置水槽との間に冷却手段を更に備えることを特徴とする請求項１又は２に記載の磁気振動水製造方法。
【請求項４】
被処理水を磁気処理する磁気処理水槽と、
前記磁気処理水槽を内部に収容する空芯の磁気コイルと、前記磁気コイルに電力を供給するコンデンサと、前記コンデンサを充電する充電回路と、前記コンデンサに充電された電力を前記磁気コイルに放電する放電回路と、を含む磁界振動装置と、
を備え、
前記放電回路は、前記コンデンサの電力を前記磁気コイルに放電するとき、前記磁気コイルに最高ピーク強度が１．０テスラ以上の減衰振動磁界を形成することを特徴とする磁気振動水製造装置。
【請求項５】
磁気処理水槽を磁気コイル内に収容した状態で、前記磁気コイルに最高ピーク強度が１．０テスラ以上の減衰振動磁界を印加することにより、減衰振動磁界が印加された状態の被処理水であることを特徴とする磁気振動水。
【手続補正２】
【補正対象書類名】明細書
【補正対象項目名】全文
【補正方法】変更
【補正の内容】
【発明の詳細な説明】
【技術分野】
【０００１】
本発明は、磁気振動水、磁気振動水製造方法、及び磁気振動水製造装置に係り、より詳しくは、被処理水に減衰振動磁界を印加して磁気振動処理した磁気振動水、磁気振動水製造方法、及び磁気振動水製造装置に関する。
【背景技術】
【０００２】
液体の沸点は、液体物質の分子間に相互作用がない場合は分子量にほぼ相関する。しかし、水は、沸点（１気圧）が１００℃で分子量が１８であるのに対して、水と同程度の沸点（９８℃）を有するｎ−ヘプタンの分子量は１００である。この相違の原因は、水の分子が２個の水素原子と１個の酸素原子からなり、液体の水は、隣接する水分子の水素原子と酸素原子との間に弱い結合を形成して、液体の水の表面から水分子が水蒸気となって飛び出すのを阻害している（引き留めている）ためである。
【０００３】
この、水の酸素原子と水素原子との弱い結合は、周知の水素結合の一例であり、この水分子間の水素結合が、水の性質に大きな影響を与えている。その一例として、水は生体中に拡散しにくいという性質があるが、その理由として、液体の水が分子状の水に変化して生体膜を通過するのを水分子間の水素結合が引き止め、阻害していると考えられている。
【０００４】
さて、一般的に分子結合は２個の電子が対を成して形成されるが、例えば水素原子などの特定の原子を含む結合では、強力な磁場が印加されると分子結合を形成している２個の電子のエネルギーレベルが分極され、そのエネルギー差に相当するエネルギーを吸収して結合が活性化されるようになる。この現象を利用したものが核磁気共鳴吸収法（ＮＭＲ）という分析方法であり、またこの技術を人体の内部を観察し医療に応用したのがＭＲＩである。
分子結合の活性化は、分子結合の結合力の低下を意味するから、核磁気共鳴吸収が起これば、もともと弱い結合である水素結合は更に弱くなるのではないかと推測される。
【０００５】
しかし、核磁気共鳴吸収は非常に高い磁場で起こる現象であって、ＮＭＲ及びＭＲＩは、超電導体電磁石を用いて形成された磁場を用いて行われる。例えば磁場強度が１１．７４テスラ（９３６５ＫＡ／ｍ）において水素（１Ｈ）は５００ＭＨｚの電磁波を吸収して活性化され、炭素（１３Ｃ）は１２５ＭＨｚの電磁波を吸収し、窒素（１４Ｎ）は３５ＭＨｚの電磁波を吸収して活性化される（非特許文献１）。
従来は、このような強力な磁場を、製造目的で水に印加することは行われなかった。
【０００６】
近年、高い磁気特性を有する希土類磁石が開発され、必要不可欠な材料として広く使用され、今後も更に使用量が増大すると予想される。しかし、希土類磁石は、なんらかの理由で消磁が必要になった時には一度着磁された磁石を脱磁することは極めて難しいという課題を有している。
【０００７】
この、着磁された希土類磁石を脱磁するために、磁石を脱磁する磁気処理コイルと、磁気処理コイルに電力を供給するコンデンサと、コンデンサを充電する充電回路と、コンデンサに充電された電力を瞬時に磁気処理コイルに放電して高いピーク強度を有する減衰振動磁界を磁気処理コイルに形成させる放電回路と、を有する消磁装置が開発された。例えば、特許文献１には、最高ピーク強度が１０テスラ（７９６０ｋＡ／ｍ）であるような強力な磁界を生成する消磁装置が開示されている。
【０００８】
本発明は、核磁気共鳴分析で用いるのと同等の高いピーク強度を有する減衰振動磁界を水に印加し、水の分子間結合である水素結合を分極させ活性化させて水素結合を弱化し、それによって水を活性化して新たな機能性を有する新規な磁気振動水を提供するものである。
【先行技術文献】
【特許文献】
【０００９】
【特許文献１】特開第２０１５−３５５５８号公報
【特許文献２】特開第２０１１−２４９６１２号公報
【非特許文献】
【００１０】
【非特許文献１】核磁気共鳴装置  日本電子株式会社  インターネット検索  ｈｔｔｐｓ：／／ｗｗｗ．ｊｅｏｌ．ｃｏ．ｊｐ／ｓｃｉｅｎｃｅ／ｎｍｒ．ｈｔｍｌ  （２０１９年３月１８日検索）
【発明の概要】
【発明が解決しようとする課題】
【００１１】
本発明は、強力な減衰振動磁界を水に印加し、新たな物性、及び／又は機能性を有する磁気振動水の製造方法を提供することを課題とする。
また本発明は、強力な減衰振動磁界を形成し、水を減衰振動磁界処理する磁気振動水製造装置を提供することを課題とする。
【００１２】
また本発明は、磁気振動水製造装置の過熱を防いだ磁気振動水製造装置を提供することを課題とする。
更に本発明は、強力な減衰振動磁界を形成する磁気振動水製造装置を用いて減衰振動磁界が印加された状態の磁気振動水を提供することを課題とする。
【課題を解決するための手段】
【００１３】
本発明は、かかる課題を解決するためになされたものであって、被処理水を磁気処理する磁気処理水槽を空芯の磁気コイルの内部に収容する段階と、磁気処理水槽に被処理水を供給する段階と、磁気コイルに接続したコンデンサを充電する段階と、コンデンサに充電された電力を磁気コイルに放電して磁気コイルに最高ピーク強度が１．０テスラ以上の減衰振動磁界を形成して前記被処理水に印加する段階と、によって磁気振動水を製造することを特徴とする。
【００１４】
また、前記被処理水が、蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、及び点眼液等を含む医療用水、電解水、水素水、及び酸素水を含む機能性水、塩水、並びに廃水の中から選ばれる１以上であることを特徴とする。
前記磁気コイルと磁気処置水槽との間に冷却手段を更に備えることが好ましい。
【００１５】
被処理水を磁気処理する磁気処理水槽、並びに磁気処理水槽を内部に収容する空芯の磁気コイル、磁気コイルに電力を供給するコンデンサ、コンデンサを充電する充電回路、及びコンデンサに充電された電力を磁気コイルに放電する放電回路を含む磁界振動装置を備え、前記放電回路は、コンデンサの電力を磁気コイルに放電するとき、磁気コイルに最高ピーク強度が１．０テスラ以上の減衰振動磁界を形成することを特徴とする。
【００１６】
磁気処理水槽を磁気コイル内に収容した状態で、前記磁気コイルに最高ピーク強度が１．０テスラ以上の減衰振動磁界を印加することにより、減衰振動磁界が印加された状態の被処理水であることを特徴とする磁気振動水。
【発明の効果】
【００１７】
本発明の磁気振動水製造方法によれば、コンデンサに充電された電力を磁気コイルに放電して磁気コイルに最高ピーク強度が１．０テスラ以上の減衰振動磁界を形成して前記被処理水に印加することによって、浸透性が優れ、新規な機能を有する磁気振動水を製造することができる。
【００１８】
本発明の磁気振動水は、官能試験によって原料の水道水よりおいしいと評価された。また、本発明の磁気振動水は、浸透力が増大し、花を活けた場合に水道水を用いた場合より花が枯れずに長持ちし、種子の発芽率が向上することが示された。
【００１９】
また、本発明の他の実施例に係る磁気振動水製造方法は、磁気処置水槽との間に冷却手段を更に備え、減衰振動磁界を印加する間に磁気処置水槽の温度が上昇するのを防ぐことができる。
また本発明は、磁気コイルに最高ピーク強度が１．０テスラ以上の減衰振動磁界を前記被処理水に印加された状態の新規な磁気振動水を提供することができる。
【図面の簡単な説明】
【００２０】
【図１】本発明の一実施例に係る磁気振動水製造装置の構成を示す斜視図である。
【図２】本発明の一実施例に係る磁気処理水槽及び磁気コイルを示す断面図である。
【図３】本発明の磁界振動装置の回路図である。
【図４】本発明の磁気振動水の製造方法のプロセスブロック図である。
【図５】本発明の減衰振動磁界の磁界強度を示すグラフである。
【図６】本発明の他の実施例に係る磁気処理水槽及び磁気コイルを示す断面図である。
【図７】本発明の磁気振動水及び水道水に野菊を活けて野菊が枯れるまでを観察した図である。
【発明を実施するための形態】
【００２１】
以下に、添付図面を参照しながら、本発明の実施形態について説明する。
図１は、本発明の一実施例に係る磁気振動水製造装置の構成を示す斜視図であり、図２は、本発明の一実施例に係る磁気処理水槽及び磁気コイルを示す断面図である。
図１、２に示すように、本発明の一実施例に係る磁気振動水製造装置１は、磁気処理水槽１０と磁界振動装置２０とを備える。
【００２２】
磁気処理水槽１０は、磁力線が透過可能な材質で磁界振動装置２０の内部に形成され、被処理水導入弁１３及び被処理水１６を供給するポンプ１５を備える被処理水導入管１１と、被処理水排出弁１４を備える被処理水排出管１２と、を備え得る。
【００２３】
磁界振動装置２０は、磁気処理水槽１０を内部に収容して磁界を印加する空芯の磁気コイル３０と、磁気コイル３０に電力を供給するコンデンサ４０と、コンデンサ４０を充電する充電回路５０と、コンデンサ４０に充電された電力を瞬時に磁気コイル３０に放電してＬＣＲ共振による減衰振動電流を発生させ、磁気コイル３０に減衰振動磁界を形成させる放電回路６０と、を備えることが好ましい。充電回路５０は商用電源５２に接続され得る。
【００２４】
本発明の、磁気コイル３０は、発生する減衰振動磁界の最高ピーク強度が１．０テスラ以上の磁界を磁気処理水槽１０印加して水を磁気処理することが好ましく、最高ピーク強度が５．０テスラ以上の磁界を印加することがより好ましい。減衰振動磁界の最高ピーク強度が１．０テスラ未満では、被処理水１６に十分な強度の減衰振動磁界を印加できないことがある。減衰振動磁界の最高ピーク強度は、使用可能な磁界振動装置２０の最高ピーク強度に制限されるので、上限は設けない。
【００２５】
図３は、本発明の磁界振動装置の回路図である。
図３に示すように、本発明の磁界振動装置２０は、充電回路５０と放電回路６０とからなることが好ましい。
【００２６】
充電回路５０は、商用電源５２に一次側コイル５４ａが接続される昇圧トランス５４と、商用電源５２の一方の端子に逆並列接続されたサイリスタ素子からなる交流位相制御回路５６と、昇圧トランス５４の二次側コイル５４ｂに接続されて昇圧された交流を全波整流する両波整流回路５８と、両波整流回路５８の直流出力端子間に接続された電圧検出回路５９と、を備えている。電圧検出回路５９の両端子間にコンデンサ４０が接続され、電圧検出回路５９はコンデンサ４０の充電電圧を検出する。
【００２７】
一方、放電回路６０は、コンデンサ４０と、コンデンサ４０の両電極間に接続された磁気コイル３０と、を含む。また、放電回路６０は、複数のサイリスタ素子であるスイッチング素子６２を含む。
【００２８】
図４は、本発明の磁気振動水の製造方法のプロセスブロック図である。
図４に示すように、本発明の磁気振動水の製造方法の第１段階は、磁気処理水槽１０に被処理水１６を収容する被処理水収容段階（Ｓ−１）を有する。
【００２９】
ここで、被処理水１６は、蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、及び点眼液等を含む医療用水、電解水、水素水、及び酸素水を含む機能性水、食塩水、並びに廃水の中から選ばれる１以上であることができる。
【００３０】
また本実施形態は、商用電源５２から昇圧トランス５４、交流位相制御回路５６、及び両波整流回路５８を介して制御された電圧がコンデンサ４０を充電するコンデンサ充電段階（Ｓ−２）を有することができる。このとき、放電回路６０のスイッチング素子６２は全てオフとなっている。なお、被処理水収容段階とコンデンサ充電段階との順序は入れ替えることが可能である。
【００３１】
次いで、電圧検出回路５９が、コンデンサ４０の電圧が設定電圧に達して充電が完了したことを検出すると、交流位相制御回路５６で商用電源５２とコンデンサ４０とを電気的に切り離す充電放電回路切替段階（Ｓ−３）を行う。
【００３２】
次いで、放電回路を制御して減衰振動磁界印加段階（Ｓ−４）を行う。
コンデンサ４０に充電された電力を磁気コイル３０に瞬時に放電すると、コンデンサ４０と磁気コイル３０とにＬＣＲ共振による減衰振動電流が発生する。
図５は、本発明に係る減衰振動磁界の磁界強度を示すグラフである。
【００３３】
図５に示すような減衰振動磁界の波形や磁界強度ピーク値を所定の磁界振動装置２０で発生させて印加する方法は、磁気コイル３０及びコンデンサ４０の電磁的性質及び電圧、並びに放電回路のサイリスタスイッチの構成・操作方法等によって制御することができるが、これらは当業者の設計事項であり、また特許文献１、２にも記載されているので、詳細な説明は省略する。
【００３４】
本発明は、磁気処理水槽１０に収容された水に対する磁気処理を複数回行うことができる。
所定の回数の磁気処理が終了したら磁気処理水を取り出す磁気振動水排出段階（Ｓ−５）を有する。
【００３５】
本発明の磁界振動装置２０は、高電圧の減衰振動電流を磁気コイル３０に印加するので、電気抵抗に基づく熱を発生するが、処理時間が短いので処理回数が少ない場合は特に冷却装置を必要としない。しかし、処理回数が多くなると磁界振動装置２０が加熱され、磁気コイル３０及び／又は磁気処理水槽１０が高温になる場合がある。
【００３６】
図６は、本発明の他の実施形態に係る磁気処理水槽及び磁気コイルの断面図である。
図６に示すように、本発明の他の実施形態に係る磁界振動装置１２０は、磁気コイル１３０と磁気処理水槽１０との間に冷却手段１３１を備えることを特徴とする。冷却手段としては、磁気を透過させ発生熱を遮断できるものであれば特に制限されないが、磁気透過性の材料で形成された冷却水循環装置、又は例えば液体窒素の吹き付け装置等の冷却装置を挙げることができる。
【００３７】
以下に実施例を挙げて本発明を説明する。
［実施例１］
図１に示す形式の内径１１０ｍｍ、長さ２２０ｍｍの空芯の磁気コイル３０及びコンデンサ４０を用い、内径８０ｍｍ長さ１００ｍｍの磁気処理水槽１０に収容した５００ｍＬの水道水を磁気振動処理した。
商用電源５２から、昇圧トランス５４を用いてコンデンサ４０を電圧３５００Ｖまで充電し、充電回路５０とコンデンサ４０とを電気的に切断した後、コンデンサ４０に充電された電力を、放電回路６０を用いて磁気コイル３０に瞬時に放電して振動減衰電流を発生させ、磁気コイル３０に最高ピーク強度４．４６ＭＡ／ｍ（５．６テスラ）の振動減衰磁界を印加し、振動減衰磁界が消失後、磁気処理水槽１０から被処理水１６を排出して実施例１の磁気振動水５００ｍＬを得た。
【００３８】
［実施例２］
図１に示す形式の内径５０ｍｍ、長さ２００ｍｍの空芯の磁気コイル３０及びコンデンサ４０を用い、内径３２ｍｍ長さ１００ｍｍの磁気処理水槽１０に収容した８０ｍＬの水道水を磁気振動処理した。
商用電源５２から、昇圧トランス５４を用いてコンデンサ４０を充電し、充電回路５０とコンデンサ４０とを電気的に切断した後、コンデンサ４０に充電された電力を、放電回路６０を用いて磁気コイルに瞬時に放電して振動減衰電流を発生させ、磁気コイル３０に最高ピーク強度０．８０ＭＡ／ｍ（１．０テスラ）の振動減衰磁界を印加し、振動減衰磁界が消失後、磁気処理水槽１０から被処理水１６を排出して実施例２の磁気振動水８０ｍＬを得た。
【００３９】
［実施例３］
図６に示す形式の内径７０ｍｍ、長さ２００ｍｍの空芯の磁気コイル１３０、コンデンサ４０、及びガラス製円筒形の冷却手段１３１を用い、内径３２ｍｍ長さ１００ｍｍの磁気処理水槽１０に収容した８０ｍＬの水道水（開始時の水温１８℃）を磁気振動処理した。
商用電源５２から、昇圧トランス５４を用いてコンデンサ４０を充電し、充電回路５０とコンデンサ４０とを電気的に切断した後、コンデンサ４０に充電された電力を、放電回路６０を用いて磁気コイル１３０に瞬時に放電して振動減衰電流を発生させ、磁気コイル１３０に最高ピーク強度０．８０ＭＡ／ｍ（１．０テスラ）の振動減衰磁界を印加し、振動減衰磁界が消失後、コンデンサ４０に再充電及び磁気コイルに再放電する操作を１０分間隔で合計１０回繰り返したのち、磁気処理水槽１０から被処理水１６を排出して実施例３の磁気振動水８０ｍＬを得た。処理終了直後の実施例３の磁気振動水の温度は２８℃であった。
実施例３で得た磁気振動水は、官能検査で、実施例１で得た磁気振動水と同程度の味を有することが示された。
【００４０】
［比較例１］
実施例２と同様に、図１に示す形式の内径５０ｍｍ、長さ２００ｍｍの空芯の磁気コイル３０及びコンデンサ４０を用い、内径３２ｍｍ長さ１００ｍｍの磁気処理水槽１０に収容した８０ｍＬの水道水を磁気振動処理し、但し、振動減衰磁気コイル３０に印加する振動減衰磁気の最高ピーク強度を０．４０ＭＡ／ｍ（０．５テスラ）にして比較例１の磁気振動水を得た。
【００４１】
［比較例２］
実施例２と同様に、図１に示す形式の内径５０ｍｍ、長さ２００ｍｍの空芯の磁気コイル３０及びコンデンサ４０を用い、内径３２ｍｍ長さ１００ｍｍの磁気処理水槽１０に収容した８０ｍＬの水道水を、最高ピーク強度０．８０ＭＡ／ｍ（１．０テスラ）の振動減衰磁界を用いて磁気振動処理し、次いで振動減衰磁界が消失後、コンデンサ４０に再充電及び磁気コイルに再放電する操作を１０分間隔で７回繰り返したところ、磁気処理水槽１０の被処理水１６の温度が８５℃になったので操作を中止し、磁気処理水槽１０から被処理水１６を排出して比較例２の磁気振動水８０ｍＬを得た。
比較例２の磁気振動水を１５℃まで冷却して官能検査を行ったが、比較例２の磁気振動水の味は、実施例２の磁気振動水の味よりも劣った。
【００４２】
（官能検査）
実施例１と実施例２、実施例２と比較例１、及び比較例１と水道水とを官能検査によって比較した。
＜試験方法＞
試験する水の温度を１５℃にして、２０人のパネラー（女性１２名、男性８名）に水の種類を知らせずに提示し、どちらの水がおいしいか、又は同じであるかを飲み比べてもらった。
＜判定基準＞
同じである（分からない）と答えたパネラーの数が１０名以下であって、一方の磁気振動水を選択したパネラー数が他方の磁気振動水を選択したパネラー数の２倍以上である場合に一方の磁気振動水の方がおいしいと判定し、この条件を満たさない場合は両方の磁気振動水の官能評価には差がないと判定した。
【００４３】
＜結果＞
実施例１の磁気振動水と実施例２の磁気振動水の比較
９名のパネラーが実施例１の磁気振動水のほうがおいしいと答え、３名のパネラーが実施例２の磁気振動水のほうがおいしいと答え残りの８名がわからないと答えた。従って、実施例１の磁気振動水の方がおいしいと判定した。
実施例２の磁気振動水と比較例１の磁気振動水との比較
１２名のパネラーが実施例２の磁気振動水の方がおいしいと答え、２名のパネラーが比較例１の磁気振動水の方がおいしいと答えた。従って、実施例２の磁気振動水の方が比較例１の磁気振動水よりおいしいと判定した。
実施例２の磁気振動水と水道水との比較
５名のパネラーが実施例２の磁気振動水の方がおいしいと答え、３名のパネラーが水道水の方がおいしいと答えた。従って、実施例２の磁気振動水の味と水道水の味とに有意な差はないと判定した。
【００４４】
実施例１の磁気コイル３０に最高ピーク強度４．４６ＭＡ／ｍ（５．６テスラ）の振動減衰磁界を印加した磁気振動水と、実施例２の最高ピーク強度０．８０ＭＡ／ｍ（１．０テスラ）の振動減衰磁界を印加した磁気振動水は、官能検査では実施例１の磁気振動水の方が（大差はないが）おいしいと判定され、実施例２の磁気振動水と、比較例１の最高ピーク強度０．４０ＭＡ／ｍ（０．５テスラ）の振動減衰磁界を印加した磁気振動水では、実施例２の磁気振動水の方がおいしいと判定され、比較例１の磁気振動水の味と水道水の味とは官能試験で有意な差がないと判定された。従って、本発明は、磁気コイル３０に印加する振動減衰磁界の最高ピーク強度は、１．０テスラ（０．８０ＭＡ／ｍ）以上であると制限する。
【００４５】
（浸透性試験）
［実施例４］
図７は、本発明の磁気振動水及び水道水に野菊を活けて、野菊が枯れるまでを観察した図である。
図７ａに示すように、実施例１で得た磁気振動水２００ｍＬに３ｇの食塩を溶解して実施例４とし、磁気振動水の製造に用いた水道水２００ｍＬに３ｇの食塩を溶解して比較例３とし、野菊の花を切り花として活け、実施例１の食塩水及び水道水の食塩水を毎日交換して観察した。
図７ｂに示すように、試験開始後１６日目に、比較例３の塩水に活けた野菊の花は枯れたが、実施例４の、実施例１の磁気振動水の塩水に活けた野菊の花は元気であった。
図７ｃに示すように、３６日目に実施例４の、試験例の振動水に活けた野菊の花が枯れた。
【００４６】
切花を活ける場合、切り花を長持ちさせるには、切り口からの水の吸い上げ重要であると言われている。実施例１の磁気振動水は、強力な振動減衰磁界を印加されて水分子同士の水素結合が弱められているので、水が切り花の切り口から容易に浸透して野菊の切花を長持ちさせたものと考えられる。
【００４７】
（発芽試験）
＜測定方法＞
［実施例５］
ガラス製シャーレの上にろ紙を２枚重ねて置き、実施例１で製造した磁気振動水を滴下して全面を湿らせ、その上に種子１００個を重なり合わないように並べて置き、シャーレの蓋をして所定の温度の低温器に入れる。試験中ろ紙が乾燥しないように磁気振動水を補給しながら毎日観察して、発芽した種子を取り除き、残った種子の数から発芽率を計算した。
発芽率（％）＝発芽した種子の個数／播種した種子の個数×１００
［比較例４］
実施例５と同じ方法で、但し実施例１で製造した磁気振動水の代わりに水道水を用いて発芽試験を行った。
【００４８】
（２）結果
発芽試験の結果を表１に示す。
【表１】
2020168617.tif 000011
【００４９】
表１に示すように、実施例５の、実施例１で製造した磁気振動水を用いることで、比較例４の水道水を用いた場合よりも、いずれの種子も発芽率が向上した。
種子は、適当な温度で適当な水分が与えられると発芽するが、実施例１で製造した磁気振動水は強力な振動減衰磁界を印加されて水分子同士の水素結合が弱められているので、磁気振動水は種子に素早く浸透して発芽率を向上させたものと考えられる。
【００５０】
以上、本発明に関する好ましい実施形態を説明したが、本発明は前記実施形態に限定されず、本発明の属する技術範囲を逸脱しない範囲での全ての変更が含まれる。
【符号の説明】
【００５１】
１      磁気振動水製造装置
５      磁気振動水
１０      磁気処理水槽
１１      被処理水導入管
１２      被処理水排出管
１３      被処理水導入弁
１４      被処理水排出弁
１５      ポンプ
１６      被処理水
２０、１２０      磁界振動装置
３０、１３０磁気コイル
４０      コンデンサ
５０      充電回路
５２      商用電源
５４      昇圧トランス
５４ａ    一次側コイル
５４ｂ    二次側コイル
５６      交流位相制御回路
５８      両波整流回路
５９      電圧検出回路
６０      放電回路
６２      スイッチング素子
１３１      冷却手段
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
被処理水を磁気処理する磁気処理水槽を空芯の磁気コイルの内部に収容する段階と、
前記磁気処理水槽に前記被処理水を供給する段階と、
前記磁気コイルに接続したコンデンサを充電する段階と、
前記コンデンサに充電された電力を逆並列接続されたサイリスタスイッチを有する放電回路を用いて前記磁気コイルに放電し、ＬＣＲ共振による減衰振動電流を発生させて、前記磁気コイルに最高ピーク強度が１．０テスラ以上の減衰振動磁界を形成して前記被処理水に印加する段階と、
によって磁気振動水を製造することを特徴とする磁気振動水製造方法。
【請求項２】
前記被処理水が蒸留水、脱イオン水、及び逆浸透圧水等を含む精製水、水道水、井戸水、天然水、及びミネラルウォーター等を含む飲用水、調理用水、果汁、茶、コーヒー、紅茶、及び酒等を含む調理食品用水、皮膚処理水、頭髪処理水、洗顔液、及び香水等を含む化粧品用水、生理食塩水、注射液、及び点眼液等を含む医療用水、電解水、水素水、及び酸素水を含む機能性水、塩水、並びに廃水の中から選ばれる１以上であることを特徴とする請求項１に記載の磁気振動水製造方法。
【請求項３】
前記磁気コイルと前記磁気処置水槽との間に冷却手段を更に備えることを特徴とする請求項１又は２に記載の磁気振動水製造方法。
【請求項４】
被処理水を磁気処理する磁気処理水槽と、
前記磁気処理水槽を内部に収容する空芯の磁気コイルと、前記磁気コイルに電力を供給するコンデンサと、前記コンデンサを充電する充電回路と、逆並列接続されたサイリスタスイッチを有し前記コンデンサに充電された電力を前記磁気コイルに放電する放電回路と、を含む磁界振動装置と、
を備え、
前記放電回路は、前記コンデンサの電力を前記磁気コイルに放電するとき、ＬＣＲ共振による減衰振動電流により前記磁気コイルに最高ピーク強度が１．０テスラ以上の減衰振動磁界を形成することを特徴とする磁気振動水製造装置。
【手続補正２】
【補正対象書類名】明細書
【補正対象項目名】００１３
【補正方法】変更
【補正の内容】
【００１３】
本発明は、かかる課題を解決するためになされたものであって、被処理水を磁気処理する磁気処理水槽を空芯の磁気コイルの内部に収容する段階と、磁気処理水槽に被処理水を供給する段階と、磁気コイルに接続したコンデンサを充電する段階と、コンデンサに充電された電力を、逆並列接続されたサイリスタスイッチを有する放電回路を用いて磁気コイルに放電してＬＣＲ共振による減衰振動電流を発生させて、磁気コイルに最高ピーク強度が１．０テスラ以上の減衰振動磁界を形成して前記被処理水に印加する段階と、によって磁気振動水を製造することを特徴とする。
【手続補正３】
【補正対象書類名】明細書
【補正対象項目名】００１５
【補正方法】変更
【補正の内容】
【００１５】
被処理水を磁気処理する磁気処理水槽、並びに磁気処理水槽を内部に収容する空芯の磁気コイル、磁気コイルに電力を供給するコンデンサ、コンデンサを充電する充電回路、及び逆並列接続されたサイリスタスイッチを有しコンデンサに充電された電力を磁気コイルに放電する放電回路を含む磁界振動装置を備え、前記放電回路は、コンデンサの電力を磁気コイルに放電するとき、ＬＣＲ共振による減衰振動により磁気コイルに最高ピーク強度が１．０テスラ以上の減衰振動磁界を形成することを特徴とする磁気振動水製造装置。
【手続補正４】
【補正対象書類名】明細書
【補正対象項目名】００２７
【補正方法】変更
【補正の内容】
【００２７】
一方、放電回路６０は、コンデンサ４０と、コンデンサ４０の両電極間に接続された磁気コイル３０と、を含む。また、放電回路６０は、複数のサイリスタスイッチ６２を含む。
【手続補正５】
【補正対象書類名】明細書
【補正対象項目名】００５１
【補正方法】変更
【補正の内容】
【００５１】
１      磁気振動水製造装置
５      磁気振動水
１０      磁気処理水槽
１１      被処理水導入管
１２      被処理水排出管
１３      被処理水導入弁
１４      被処理水排出弁
１５      ポンプ
１６      被処理水
２０、１２０      磁界振動装置
３０、１３０磁気コイル
４０      コンデンサ
５０      充電回路
５２      商用電源
５４      昇圧トランス
５４ａ    一次側コイル
５４ｂ    二次側コイル
５６      交流位相制御回路
５８      両波整流回路
５９      電圧検出回路
６０      放電回路
６２      サイリスタスイッチ
１３１      冷却手段